(57)【要約】【課題】ＣＡを適用することで、高い周波数帯を効果的に利用することができる適切な構成を有する移動通信システムを提供する。【解決手段】本発明に係る移動通信システムは、移動局ＵＥが、無線基地局ｅＮＢとの間で、周波数帯域Ｆ１の第１キャリア及び周波数帯域Ｆ１よりも高周波数帯域である周波数帯域Ｆ２の第２キャリアを同時に用いて、信号の送受信を行うことができるように構成されている、すなわち、ＣＡを行うことができるように構成されている移動通信システムであって、無線基地局ｅＮＢは、第１キャリアが用いられるセル＃１１及び第２キャリアが用いられるセル＃２１を管理するように構成されており、セル＃１１のカバレッジエリアとセル＃２１のカバレッジエリアとが地理的に重畳するように構成されており、セル＃１１のカバレッジエリアは、セル＃２１のカバレッジエリアよりも広くなるように構成されている。【選択図】図１
2011142596.tif 000002
【特許請求の範囲】
【請求項１】
移動局が、無線基地局との間で、第１周波数帯域の第１キャリア及び該第１周波数帯域よりも高い周波数帯域である第２周波数帯域の第２キャリアを同時に用いて、信号の送受信を行うことができるように構成されている移動通信システムであって、
前記無線基地局は、前記第１キャリアが用いられる第１セル及び前記第２キャリアが用いられる第２セルを管理するように構成されており、
前記第１セルのカバレッジエリアと前記第２セルのカバレッジエリアとが地理的に重畳するように構成されており、
前記第１セルのカバレッジエリアは、前記第２セルのカバレッジエリアよりも広くなるように構成されていることを特徴とする移動通信システム。
【請求項２】
カバレッジエリアが重畳している前記第１セル及び前記第２セルにおいて、同期信号のスクランブリング処理に同一のセル識別情報が用いられるように構成されていることを特徴とする請求項１に記載の移動通信システム。
【請求項３】
カバレッジエリアが重畳している前記第１セル及び前記第２セルにおいて、同期信号のスクランブリング処理に異なるセル識別情報が用いられるように構成されていることを特徴とする請求項１に記載の移動通信システム。
【請求項４】
前記無線基地局は、前記第１セルにおける通信用の第１アンテナと、前記第２セルにおける通信用の第２アンテナとを具備し、
前記第１アンテナのメインローブの方向と前記第２アンテナのメインローブの方向とが異なるように構成されていることを特徴とする請求項１に記載の移動通信システム。
【請求項５】
前記第１セルのカバレッジエリア内に、複数の前記第２セルが設けられていることを特徴とする請求項１に記載の移動通信システム。
【発明の詳細な説明】
【技術分野】
【０００１】
本発明は、移動通信システムに関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、「ＣＡ（Ｃａｒｒｉｅｒ  Ａｇｇｒｅｇａｔｉｏｎ）」を行うことが検討されている。
【０００３】
移動局ＵＥは、ＣＡを行う場合には、無線基地局ｅＮＢに対して、異なる周波数帯域の複数の「Ｃｏｍｐｏｎｅｎｔ  Ｃａｒｒｉｅｒ（ＣＣ）」を用いて上り信号を送信するように構成されている。
【０００４】
このため、ＬＴＥ-Ａｄｖａｎｃｅｄ方式の移動通信システムでは、図４に示すように、周波数帯Ｆ１のＣＣが用いられるセル＃１１/＃１２/＃１３のカバレッジエリアと周波数帯Ｆ２のＣＣが用いられるセル＃２１/＃２２/＃２３のカバレッジエリアとが同じ広さで地理的に重畳するように構成されることが想定されている。
【先行技術文献】
【非特許文献】
【０００５】
【非特許文献１】３ＧＰＰ  ＴＳ３６.８１４  ｖ１.５.０
【非特許文献２】３ＧＰＰ  ＴＳ３６.９１２  ｖ９.１.０
【発明の概要】
【発明が解決しようとする課題】
【０００６】
しかしながら、周波数帯Ｆ１として２ＧＨｚ帯が用いられ、周波数帯Ｆ２として３.５ＧＨｚ帯が用いられる場合、３.５ＧＨｚ帯のＣＣの伝搬特性が２ＧＨｚ帯のＣＣの伝搬特性よりも劣るため、２ＧＨｚ帯のＣＣが用いられるセルのカバレッジエリアの広さと３.５ＧＨｚ帯のＣＣが用いられるセルのカバレッジエリアの広さとを同じにすることが困難となるという問題点があった。
【０００７】
特に、３.５ＧＨｚ帯や４.９ＧＨｚ帯等の高い周波数帯では、２ＧＨｚ帯等の一般的にセルラシステムで用いられる周波数帯に比べて伝搬減衰が著しく、移動局ＵＥの受信感度が同一であると仮定した場合、リンクバジェット的に４〜１０ｄＢ程度の劣化が生じる問題がある。したがって、３.５ＧＨｚ帯や４.９ＧＨｚ帯等の高い周波数帯を用いた場合に、カバレッジを保障できない問題があり、また、モビリティを保障できない問題があった。
【０００８】
例えば、３.５ＧＨｚ帯のキャリアで通信中に移動局ＵＥが移動した場合、容易に３.５ＧＨｚ帯のキャリアが届かないエリアに侵入する可能性があり、ハンドオーバが失敗したり呼が切断したりする問題があった。
【０００９】
これらの問題を解消するために、３.５ＧＨｚ帯や４.９ＧＨｚ帯等の高い周波数帯を用いるセルは、無線基地局ｅＮＢの数を増やしてセルの密度を上げることが考えられるが、これではネットワーク構成のコストが高くなるという問題点があった。
【００１０】
そこで、本発明は、上述の課題に鑑みてなされたものであり、ＣＡを適用することで、３.５ＧＨｚ帯や４.９ＧＨｚ帯等の高い周波数帯を効果的に利用することができる適切な構成を有する移動通信システムを提供することを目的とする。
【課題を解決するための手段】
【００１１】
本発明の第１の特徴は、移動局が、無線基地局との間で、第１周波数帯域の第１キャリア及び該第１周波数帯域よりも高い周波数帯域である第２周波数帯域の第２キャリアを同時に用いて、信号の送受信を行うことができるように構成されている移動通信システムであって、前記無線基地局は、前記第１キャリアが用いられる第１セル及び前記第２キャリアが用いられる第２セルを管理するように構成されており、前記第１セルのカバレッジエリアと前記第２セルのカバレッジエリアとが地理的に重畳するように構成されており、前記第１セルのカバレッジエリアは、前記第２セルのカバレッジエリアよりも広くなるように構成されていることを要旨とする。
【発明の効果】
【００１２】
以上説明したように、本発明によれば、ＣＡを適用することで、３.５ＧＨｚ帯や４.９ＧＨｚ帯等の高い周波数帯を効果的に利用することができる適切な構成を有する移動通信システムを提供することができる。
【図面の簡単な説明】
【００１３】
【図１】本発明の第１の実施形態に係る移動通信システムの全体構成図である。
【図２】本発明の第２の実施形態に係る移動通信システムの全体構成図である。
【図３】本発明の第３の実施形態に係る移動通信システムの全体構成図である。
【図４】従来の移動通信システムの全体構成図である。
【発明を実施するための形態】
【００１４】
（本発明の第１の実施形態に係る移動通信システム）
図１を参照して、本発明の第１の実施形態に係る移動通信システムについて説明する。本実施形態に係る移動通信システムは、ＬＴＥ-Ａｄｖａｎｃｅｄ方式の移動通信システムである。
【００１５】
なお、本実施形態に係る移動通信システムにおいて、移動局ＵＥは、無線基地局ｅＮＢとの間で、周波数帯域Ｆ１のＣＣ及び周波数帯域Ｆ２のＣＣを同時に用いて、信号の送受信を行うことができるように構成されている、すなわち、ＣＡを行うことができるように構成されている。
【００１６】
図１に示すように、本実施形態に係る移動通信システムでは、無線基地局ｅＮＢ配下に、マクロセルとして、セル＃１１やセル＃１２やセル＃１３やセル＃２１やセル＃２２やセル＃２３等が設けられている。
【００１７】
セル＃１１やセル＃１２やセル＃１３では、周波数帯Ｆ１のＣＣが用いられており、セル＃２１やセル＃２２やセル＃２３では、周波数帯Ｆ２のＣＣが用いられている。
【００１８】
ＬＴＥ-Ａｄｖａｎｃｅｄ方式の移動通信システムでは、例えば、周波数帯Ｆ１及びＦ２として、８００ＭＨｚ帯や１.５ＧＨｚ帯や１.７ＧＨｚ帯や２ＧＨｚ帯や３.４-３.６ＧＨｚ帯や４.４-４.９ＧＨｚ帯等が用いられることが想定されている。
【００１９】
また、例えば、各「Ｃｏｍｐｏｎｅｎｔ  Ｃａｒｒｉｅｒ」の帯域幅は、６ＲＢ（Ｒｅｓｏｕｒｃｅ  Ｂｌｏｃｋ）、１５ＲＢ、２５ＲＢ、５０ＲＢ、７５ＲＢ又は１００ＲＢのいずれかであってもよい。なお、１ＲＢは、１８０ｋＨｚである。
【００２０】
また、本実施形態に係る移動通信システムでは、セル＃１１のカバレッジエリアとセル＃２１のカバレッジエリアとが地理的に重畳するように構成されており、セル＃１２のカバレッジエリアとセル＃２２のカバレッジエリアとが地理的に重畳するように構成されており、セル＃１３のカバレッジエリアとセル＃２３のカバレッジエリアとが地理的に重畳するように構成されている。
【００２１】
なお、本実施形態に係る移動通信システムでは、周波数帯Ｆ１を、周波数帯Ｆ２よりも高い周波数帯域とし、セル＃１１のカバレッジエリアは、セル＃２１のカバレッジエリアよりも広くなるように構成されており、セル＃１２のカバレッジエリアは、セル＃２２のカバレッジエリアよりも広くなるように構成されており、セル＃１３のカバレッジエリアは、セル＃２３のカバレッジエリアよりも広くなるように構成されている。
【００２２】
また、本実施形態に係る移動通信システムにおいて、カバレッジエリアが重畳しているセル＃１１及びセル＃２１において、同一のＰＣＩ（Ｐｈｙｉｓｃａｌ  Ｃｅｌｌ  Ｉｄｅｎｔｉｔｙ）が用いられるように構成されており、カバレッジエリアが重畳しているセル＃１２及びセル＃２２において、同一のＰＣＩが用いられるように構成されており、カバレッジエリアが重畳しているセル＃１３及びセル＃２３において、同一のＰＣＩが用いられるように構成されていてもよい。
【００２３】
或いは、本実施形態に係る移動通信システムにおいて、カバレッジエリアが重畳しているセル＃１１及びセル＃２１において、異なるＰＣＩが用いられるように構成されており、カバレッジエリアが重畳しているセル＃１２及びセル＃２２において、異なるＰＣＩが用いられるように構成されており、カバレッジエリアが重畳しているセル＃１３及びセル＃２３において、異なるＰＣＩが用いられるように構成されていてもよい。
【００２４】
本実施形態に係る移動通信システムにおいて、移動局ＵＥは、セル＃１１のカバレッジエリアとセル＃２１のカバレッジエリアとが重畳するエリア、セル＃１２のカバレッジエリアとセル＃２２のカバレッジエリアとが重畳するエリア及びセル＃１３のカバレッジエリアとセル＃２３のカバレッジエリアとが重畳するエリアでのみ、ＣＡを行うことができる。
【００２５】
一方、本実施形態に係る移動通信システムにおいて、移動局ＵＥは、セル＃１１のカバレッジエリア内のセル＃２１のカバレッジエリアが重畳されていないエリア、セル＃１２のカバレッジエリア内のセル＃２２のカバレッジエリアが重畳されていないエリア及びセル＃１３のカバレッジエリア内のセル＃２３のカバレッジエリアが重畳されていないエリアでは、周波数帯Ｆ１のＣＣのみを用いた通信を行うように構成されている、すなわち、ＣＡを行うことができない。
【００２６】
本発明の第１の実施形態に係る移動通信システムによれば、各周波数帯のＣＣの伝搬特性を考慮しつつ、セル＃１１/＃１２/＃１３のカバレッジエリアとセル＃２１/＃２２/＃２３のカバレッジエリアとが重畳するエリアでは、ＣＡによって高いスループットを実現することができると共に、周波数帯Ｆ１のＣＣが用いられるセル＃１１/＃１２/＃１３によって広いカバレッジエリアを実現することができる。
【００２７】
（本発明の第２の実施形態に係る移動通信システム）
図２を参照して、本発明の第２の実施形態に係る移動通信システムについて説明する。以下、本実施形態に係る移動通信システムについて、本発明の第１の実施形態に係る移動通信システムとの相違点に着目して説明する。
【００２８】
図２に示すように、本実施形態に係る移動通信システムでは、本発明の第１の実施形態に係る移動通信システムと同様に、無線基地局ｅＮＢ配下に、マクロセルとして、セル＃１１やセル＃１２やセル＃１３やセル＃２１やセル＃２２やセル＃２３等が設けられている。
【００２９】
また、本実施形態に係る移動通信システムでは、セル＃１１のカバレッジエリアは、セル＃２１のカバレッジエリア及びセル＃２３のカバレッジエリアと地理的に重畳するように構成されており、セル＃１２のカバレッジエリアは、セル＃２１のカバレッジエリア及びセル＃２２のカバレッジエリアと地理的に重畳するように構成されており、セル＃１３のカバレッジエリアは、セル＃２２のカバレッジエリア及びセル＃２３のカバレッジエリアと地理的に重畳するように構成されている。
【００３０】
すなわち、本実施形態に係る移動通信システムでは、セル＃１１/＃１２/＃１３のカバレッジエリアとセル＃２１/＃２２/＃２３のカバレッジエリアとがずれている。
【００３１】
具体的には  本実施形態に係る移動通信システムでは、無線基地局ｅＮＢは、セル＃１１における通信用アンテナのメインローブの方向とセル＃２１における通信用アンテナのメインローブの方向とが異なる方向となるように調整している。
【００３２】
また、本実施形態に係る移動通信システムでは、無線基地局ｅＮＢは、セル＃１２における通信用アンテナのメインローブの方向とセル＃２２における通信用アンテナのメインローブの方向とが異なる方向となるように調整している。
【００３３】
さらに、本実施形態に係る移動通信システムでは、無線基地局ｅＮＢは、セル＃１３における通信用アンテナのメインローブの方向とセル＃２３における通信用アンテナのメインローブの方向とが異なる方向となるように調整している。
【００３４】
また、本実施形態に係る移動通信システムにおいて、カバレッジエリアが重畳しているセル＃１１及びセル＃２１において、異なるＰＣＩが用いられるように構成されており、カバレッジエリアが重畳しているセル＃１２及びセル＃２２において、異なるＰＣＩが用いられるように構成されており、カバレッジエリアが重畳しているセル＃１３及びセル＃２３において、異なるＰＣＩが用いられるように構成されていてもよい。
【００３５】
或いは、本実施形態に係る移動通信システムでは、カバレッジエリアが重畳しているセル＃１１及びセル＃２１において、同一のＰＣＩが用いられるように構成されており、カバレッジエリアが重畳しているセル＃１２及びセル＃２２において、同一のＰＣＩが用いられるように構成されており、カバレッジエリアが重畳しているセル＃１３及びセル＃２３において、同一のＰＣＩが用いられるように構成されていてもよい。
【００３６】
本実施形態に係る移動通信システムにおいて、移動局ＵＥは、セル＃１１のカバレッジエリアとセル＃２１/＃２３のカバレッジエリアとが重畳するエリア、セル＃１２のカバレッジエリアとセル＃２１/＃２２のカバレッジエリアとが重畳するエリア及びセル＃１３のカバレッジエリアとセル＃２２/＃２３のカバレッジエリアとが重畳するエリアでのみ、ＣＡを行うことができる。
【００３７】
例えば、セル＃１３に在圏する移動局ＵＥは、セル＃１３のカバレッジエリアとセル＃２２のカバレッジエリアとが重畳するエリアでは、セル＃１３で用いられているＣＣ＃１３及びセル＃２２で用いられているＣＣ＃２２を用いたＣＡを行うことができ、セル＃１３のカバレッジエリアとセル＃２３のカバレッジエリアとが重畳するエリアでは、セル＃１３で用いられているＣＣ＃１３及びセル＃２３で用いられているＣＣ＃２３を用いたＣＡを行うことができる。
【００３８】
一方、本実施形態に係る移動通信システムにおいて、移動局ＵＥは、セル＃１１のカバレッジエリア内でセル＃２１/＃２３のカバレッジエリアが重畳されていないエリア、セル＃１２のカバレッジエリア内でセル＃２１/＃２２のカバレッジエリアが重畳されていないエリア及びセル＃１３のカバレッジエリア内でセル＃２２/＃２３のカバレッジエリアが重畳されていないエリアでは、周波数帯Ｆ１のＣＣのみを用いた通信を行うように構成されている、すなわち、ＣＡを行うことができない。
【００３９】
本発明の第２の実施形態に係る移動通信システムによれば、各周波数帯のＣＣの伝搬特性を考慮しつつ、セル＃１１/＃１２/＃１３のカバレッジエリアとセル＃２１/＃２２/＃２３のカバレッジエリアとが重畳するエリアでは、ＣＡによって高いスループットを実現することができると共に、周波数帯Ｆ１のＣＣが用いられるセル＃１１/＃１２/＃１３によって広いカバレッジエリアを実現することができる。
【００４０】
また、本発明の第２の実施形態に係る移動通信システムによれば、あるセルの境界エリアには、他のセルにおけるＣＣのメインローブが向いているため、各セルが補完しあうことによって、各セルの境界エリアにおけるスループットを改善することができる。
【００４１】
（本発明の第３の実施形態に係る移動通信システム）
図３を参照して、本発明の第３の実施形態に係る移動通信システムについて説明する。以下、本実施形態に係る移動通信システムについて、本発明の第１の実施形態に係る移動通信システムとの相違点に着目して説明する。
【００４２】
図３に示すように、本実施形態に係る移動通信システムでは、基地局ｅＮＢ配下に、マクロセルとして、セル＃１１やセル＃１２やセル＃１３等が設けられており、張り出しセルとして、セル＃２１Ａやセル＃２１Ｂやセル＃２２Ａやセル＃２３Ａやセル＃２３Ｂ等が設けられている。
【００４３】
例えば、張り出しセルは、ＣＡによって高いスループットを実現したい特定エリアに設けられるように構成されている。
【００４４】
セル＃１１やセル＃１２やセル＃１３では、周波数帯Ｆ１のＣＣが用いられており、セル＃２１Ａやセル＃２１Ｂやセル＃２２Ａやセル＃２３Ａやセル＃２３Ｂでは、周波数帯Ｆ２のＣＣが用いられている。
【００４５】
また、本実施形態に係る移動通信システムでは、セル＃１１のカバレッジエリア内に、セル＃２１Ａやセル＃２１Ｂが設けられており、セル＃１２のカバレッジエリア内に、セル＃２２Ａが設けられており、セル＃１３のカバレッジエリア内に、セル＃２３Ａやセル＃２３Ｂが設けられている。
【００４６】
また、本実施形態に係る移動通信システムにおいて、カバレッジエリアが重畳しているセル＃１１及びセル＃２１Ａ/＃２１Ｂにおいて、異なるＰＣＩが用いられるように構成されており、カバレッジエリアが重畳しているセル＃１２及びセル＃２２Ａにおいて、異なるＰＣＩが用いられるように構成されており、カバレッジエリアが重畳しているセル＃１３及びセル＃２３Ａ/＃２３Ｂにおいて、異なるＰＣＩが用いられるように構成されていてもよい。
【００４７】
或いは、本実施形態に係る移動通信システムにおいて、カバレッジエリアが重畳しているセル＃１１及びセル＃２１Ａ/＃２１Ｂにおいて、同一のＰＣＩが用いられるように構成されており、カバレッジエリアが重畳しているセル＃１２及びセル＃２２において、同一のＰＣＩが用いられるように構成されており、カバレッジエリアが重畳しているセル＃１３及びセル＃２３において、同一のＰＣＩが用いられるように構成されていてもよい。
【００４８】
なお、セル＃１１/＃１２/＃１３で用いられるＰＣＩの範囲と、セル＃２１Ａ/＃２１Ｂ/＃２２Ａ/＃２３Ａ/＃２３Ｂで用いられるＰＣＩの範囲とが異なっていてもよい。
【００４９】
本実施形態に係る移動通信システムにおいて、移動局ＵＥは、セル＃１１のカバレッジエリアとセル＃２１Ａ/＃２１Ｂのカバレッジエリアとが重畳するエリア、セル＃１２のカバレッジエリアとセル＃２２Ａのカバレッジエリアとが重畳するエリア及びセル＃１３のカバレッジエリアとセル＃２３Ａ/＃２３Ｂのカバレッジエリアとが重畳するエリアでのみ、ＣＡを行うことができる。
【００５０】
一方、本実施形態に係る移動通信システムにおいて、移動局ＵＥは、セル＃１１のカバレッジエリア内のセル＃２１Ａ/２１Ｂのカバレッジエリアが重畳されていないエリア、セル＃１２のカバレッジエリア内のセル＃２２Ａのカバレッジエリアが重畳されていないエリア及びセル＃１３のカバレッジエリア内のセル＃２３Ａ/＃２３Ｂのカバレッジエリアが重畳されていないエリアでは、周波数帯Ｆ１のＣＣのみを用いた通信を行うように構成されている、すなわち、ＣＡを行うことができない。
【００５１】
本発明の第３の実施形態に係る移動通信システムによれば、各周波数帯のＣＣの伝搬特性を考慮しつつ、セル＃１１/＃１２/＃１３のカバレッジエリアとセル＃２１Ａ/＃２１Ｂ/＃２２Ａ/＃２３Ａ/＃２３Ｂのカバレッジエリアとが重畳するエリアでは、ＣＡによって高いスループットを実現することができると共に、周波数帯Ｆ１のＣＣが用いられるセル＃１１/＃１２/＃１３によって広いカバレッジエリアを実現することができる。
【００５２】
また、本発明の第３の実施形態に係る移動通信システムによれば、特に、各セルの境界エリアにおけるスループットを改善することができる。
【００５３】
なお、上述の第１乃至第３の実施形態に係る移動通信システムにおいて、通信中の移動局ＵＥは、各周波数帯Ｆ１/Ｆ２のＣＣを独立に測定し、無線基地局ｅＮＢに対して、かかる測定結果を報告するように構成されていてもよい。
【００５４】
また、上述の第１乃至第３の実施形態に係る移動通信システムにおいて、カバレッジを提供する周波数帯Ｆ１のＣＣにおける測定結果に基づいて、ハンドオーバ制御を行うように構成されていてもよい。なお、周波数帯Ｆ１のＣＣが、アンカーキャリアであるものとする。
【００５５】
ここで、アンカーキャリアとは、複数の「Ｃｏｍｐｏｎｅｎｔ  Ｃａｒｒｉｅｒ」のうち、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号が送信されるキャリアと定義されていてもよいし、ＰＨＩＣＨ（Ｐｈｙｓｉｃａｌ  ＨＡＲＱ  Ｉｎｄｉｃａｔｏｒ  Ｃｈａｎｎｅｌ）信号が送信されるキャリアと定義されていてもよいし、「Ｓｅｍｉ-ｐｅｒｓｉｓｔｅｎｔ  Ｓｃｈｅｄｕｌｉｎｇ」が適用される下り信号が送信されるキャリアと定義されていてもよいし、「Ｓｅｍｉ-ｐｅｒｓｉｓｔｅｎｔ  Ｓｃｈｅｄｕｌｉｎｇ」が適用されるＰＵＳＣＨ信号（上りデータ信号）に対するＰＨＩＣＨ信号が送信されるキャリアと定義されていてもよいし、ページング信号が送信されるキャリアと定義されていてもよいし、ＤＣＣＨ（Ｄｅｄｉｃａｔｅｄ  Ｃｏｎｔｒｏｌ  Ｃｈａｎｎｅｌ）信号が送信されるキャリアと定義されていてもよいし、測定（Ｍｅａｓｕｒｅｍｅｎｔ）が行われるキャリアと定義されていてもよい。或いは、アンカーキャリアの定義は、上述した定義の組み合わせにより定義されていてもよい。
【００５６】
また、上述の第１乃至第３の実施形態に係る移動通信システムにおいて、スループットを提供する周波数帯Ｆ２のＣＣにおける測定結果に基づいて、ＣＡにおけるＣＣの追加や削除や切り替えの制御を行うように構成されていてもよい。
【００５７】
また、上述の第１乃至第３の実施形態に係る移動通信システムにおいて、通信中の移動局ＵＥは、周波数帯Ｆ２のＣＣにおける品質の劣化を検出した場合（例えば、ＲＬＦ（Ｒａｄｉｏ  Ｌｉｎｋ  Ｆａｉｌｕｒｅ）を検出した場合）、周波数帯Ｆ１のＣＣを用いて、無線基地局ｅＮＢに対して、その旨を報告するように構成されていてもよい。
【００５８】
また、上述の第１乃至第３の実施形態に係る移動通信システムにおいて、通信中の移動局ＵＥは、周波数帯Ｆ２のＣＣにおける品質の劣化を検出した場合（例えば、ＲＬＦを検出した場合）、周波数帯Ｆ１のＣＣが使用されているセルに係るＰＣＩ及びＣ-ＲＮＴＩ（Ｃｅｌｌ-Ｒａｄｉｏ  Ｎｅｔｗｏｒｋ  Ｔｅｍｐｏｒａｌｙ  Ｉｄｅｎｔｉｔｙ）を用いて再接続処理を行うように構成されていてもよい。
【００５９】
また、上述の第１乃至第３の実施形態に係る移動通信システムにおいて、通信中の移動局ＵＥは、モビリティ性能を保障するために、アンカーキャリアである周波数帯Ｆ１のＣＣにおける測定の頻度を、周波数帯Ｆ２のＣＣにおける測定の頻度よりも高くするように構成されていてもよい。或いは、アンカーキャリアの測定精度に関する要求条件が、アンカーキャリア以外のＣＣの測定精度に関する要求条件よりも厳しく規定されていてもよい。
【００６０】
また、上述の第１乃至第３の実施形態に係る移動通信システムにおいて、Ｉｄｌｅ状態の移動局ＵＥは、周波数帯Ｆ１のＣＣが用いられているセルにおいて待ち受けを行うように構成されていてもよい。
【００６１】
また、上述の第１乃至第３の実施形態に係る移動通信システムにおいて、通信完了時、無線基地局ｅＮＢは、移動局ＵＥに対して、周波数帯Ｆ１のＣＣが用いられているセルにおいて待ち受けを行うように「ｒｅｄｉｒｅｃｔｉｏｎ指示」を行うように構成されていてもよい。
【００６２】
また、上述の第１乃至第３の実施形態に係る移動通信システムにおいて、無線基地局ｅＮＢは、周波数帯Ｆ１のＣＣが用いられているセルでは、周辺キャリア情報として、周波数帯Ｆ２のＣＣに関する情報を報知しないように構成されていてもよい。
【００６３】
また、上述の第１乃至第３の実施形態に係る移動通信システムにおいて、無線基地局ｅＮＢは、周波数帯Ｆ２のＣＣが用いられているセルでは、報知情報にて、待ち受けが不可であることを示す「ｃｅｌｌ  ｂａｒｒｉｎｇ」のフラグを立てるように構成されていてもよい。
【００６４】
また、上述の第１乃至第３の実施形態に係る移動通信システムにおいて、移動局ＵＥは、周波数帯Ｆ１のＣＣが用いられているセルにおいてＲＲＣコネクションを確立した後に、周波数帯Ｆ２のＣＣを追加するように構成されている。
【００６５】
また、上述の第１乃至第３の実施形態に係る移動通信システムにおいて、無線基地局ｅＮＢは、ＣＡを行っている移動局ＵＥに対しては、優先的に、周波数帯Ｆ２におけるＰＤＣＣＨを介して、周波数帯Ｆ１/Ｆ２に関するスケジューリング信号を通知するように構成されていてもよい。
【００６６】
これは、移動局ＵＥが、周波数帯Ｆ２のＣＣが届く範囲にいることが分かっているため、広範囲に届く周波数帯Ｆ１におけるＰＤＣＣＨではなく、周波数帯Ｆ２におけるＰＤＣＣＨを介して、周波数帯Ｆ１/Ｆ２に関するスケジューリング信号を通知する方が、効率的なためである。周波数帯Ｆ１におけるＰＤＣＣＨは、周波数帯Ｆ２が届かない場所にいる移動局ＵＥに対して優先的に用いることができる。
【００６７】
また、上述の第１乃至第３の実施形態に係る移動通信システムにおいて、無線基地局ｅＮＢは、ＣＡを行っている移動局ＵＥに対して、周波数帯Ｆ２におけるリソースブロック（ＲＢ：Ｒｅｓｏｕｒｃｅ  Ｂｌｏｃｋ）を優先的に割り当てるように構成されていてもよい。
【００６８】
また、上述の第１乃至第３の実施形態に係る移動通信システムにおいて、無線基地局ｅＮＢは、ＣＡを行っていない移動局ＵＥに対して、周波数帯Ｆ１におけるリソースブロックを優先的に割り当てるように構成されていてもよい。
【００６９】
以上に述べた本実施形態の特徴は、以下のように表現されていてもよい。
【００７０】
本実施形態の第１の特徴は、移動局ＵＥが、無線基地局ｅＮＢとの間で、周波数帯域Ｆ１（第１周波数帯域）の第１キャリア及び周波数帯域Ｆ１よりも高い周波数帯域である周波数帯域Ｆ２（第２周波数帯域）の第２キャリアを同時に用いて、信号の送受信を行うことができるように構成されている、すなわち、ＣＡを行うことができるように構成されている移動通信システムであって、無線基地局ｅＮＢは、第１キャリアが用いられるセル＃１１（第１セル）及び第２キャリアが用いられるセル＃２１/＃２１Ａ/＃２１Ｂ（第２セル）を管理するように構成されており、セル＃１１のカバレッジエリアとセル＃２１/＃２１Ａ/＃２１Ｂのカバレッジエリアとが地理的に重畳するように構成されており、セル＃１１のカバレッジエリアは、セル＃２１/＃２１Ａ/＃２１Ｂのカバレッジエリアよりも広くなるように構成されていることを要旨とする（図１乃至図３参照）。
【００７１】
本実施形態の第１の特徴において、カバレッジエリアが重畳しているセル＃１１及びセル＃２１において、Ｐｒｉｍａｒｙ-ＳＣＨ信号及びＳｅｃｏｎｄａｒｙ-ＳＣＨ信号（同期信号）のスクランブリング処理に同一のＰＣＩ（セル識別情報）が用いられるように構成されていてもよい（図１参照）。
【００７２】
本実施形態の第１の特徴において、カバレッジエリアが重畳しているセル＃１１及びセル＃２１/＃２１Ａ/＃２１Ｂにおいて、異なるＰＣＩが用いられるように構成されていてもよい（図２及び図３参照）。
【００７３】
本実施形態の第１の特徴において、無線基地局ｅＮＢは、セル＃１１における通信用の第１アンテナと、セル＃２１における通信用の第２アンテナとを具備し、第１アンテナのメインローブの方向と第２アンテナのメインローブの方向とが異なるように構成されていてもよい（図２参照）。
【００７４】
本実施形態の第１の特徴において、セル＃１１のカバレッジエリア内に、複数のセル＃２１Ａ/＃２１Ｂが設けられていてもよい。
【００７５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７９】
ｅＮＢ…無線基地局
＃１１、＃１２、＃１３、＃２１、＃２２、＃２３…マクロセル
＃２１Ａ、＃２１Ｂ、＃２２Ａ、＃２３Ａ、＃２３Ｂ…張り出しセル
【図１】
2011142596.tif 000003
【図２】
2011142596.tif 000004
【図３】
2011142596.tif 000005
【図４】
2011142596.tif 000006
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
移動局が、無線基地局との間で、第１周波数帯域の第１キャリア及び該第１周波数帯域よりも高い周波数帯域である第２周波数帯域の第２キャリアを同時に用いて、ＣＡ（Ｃａｒｒｉｅｒ  Ａｇｇｒｅｇａｔｉｏｎ）を行うことができるように構成されている移動通信システムであって、
前記無線基地局は、前記第１キャリアが用いられる第１セル及び前記第２キャリアが用いられる第２セルを管理するように構成されており、
前記第１セルのカバレッジエリアと前記第２セルのカバレッジエリアとが地理的に重畳するように構成されており、
前記第１セルのカバレッジエリアは、前記第２セルのカバレッジエリアよりも広くなるように構成されており、
前記第１キャリアは、カバレッジを提供し、前記第２キャリアは、カバレッジを提供しないように構成されていることを特徴とする移動通信システム。
【請求項２】
カバレッジエリアが重畳している前記第１セル及び前記第２セルにおいて、同期信号のスクランブリング処理に同一のセル識別情報が用いられるように構成されていることを特徴とする請求項１に記載の移動通信システム。
【請求項３】
カバレッジエリアが重畳している前記第１セル及び前記第２セルにおいて、同期信号のスクランブリング処理に異なるセル識別情報が用いられるように構成されていることを特徴とする請求項１に記載の移動通信システム。
【請求項４】
前記無線基地局は、前記第１セルにおける通信用の第１アンテナと、前記第２セルにおける通信用の第２アンテナとを具備し、
前記第１アンテナのメインローブの方向と前記第２アンテナのメインローブの方向とが異なるように構成されていることを特徴とする請求項１に記載の移動通信システム。
【請求項５】
前記第１セルのカバレッジエリア内に、複数の前記第２セルが設けられていることを特徴とする請求項１に記載の移動通信システム。
【手続補正２】
【補正対象書類名】明細書
【補正対象項目名】００２１
【補正方法】変更
【補正の内容】
【００２１】
なお、本実施形態に係る移動通信システムでは、周波数帯Ｆ１を、周波数帯Ｆ２よりも低い周波数帯域とし、セル＃１１のカバレッジエリアは、セル＃２１のカバレッジエリアよりも広くなるように構成されており、セル＃１２のカバレッジエリアは、セル＃２２のカバレッジエリアよりも広くなるように構成されており、セル＃１３のカバレッジエリアは、セル＃２３のカバレッジエリアよりも広くなるように構成されている。
【手続補正３】
【補正対象書類名】明細書
【補正対象項目名】００７８
【補正方法】変更
【補正の内容】
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。